(57)【要約】【課題】視認性に優れた電柱設置用標示板を提供する。【解決手段】標示板１０は、標示円板１と円筒台３を備える。標示円板１は、掘削穴の直径と略同じ直径を外周ＣＦに有する。円筒台３は、電柱の中心軸を標示する主ポールＰ１を立設できる。標示円板１は、複数の同心円Ｃ１〜Ｃ３で描く同心円標示Ｃと対向する一対の第１貫通穴ｈ１・ｈ１〜ｈ３・ｈ３を有する。同心円Ｃ１〜Ｃ３は、電柱の複数の地際穴の外周を同心円で描いている。一対の第１貫通穴ｈ１・ｈ１〜ｈ３・ｈ３は、同心円Ｃ１〜Ｃ３の線上に設けている。一対の第１貫通穴ｈ１・ｈ１〜ｈ３・ｈ３には、地際穴の外周を標示する一組の副ポールＰ２・Ｐ２を立設できる。円筒台３は、主ポールＰ１を支持する筒部３ａと筒部３ａの基端部に設けたフランジ３ｂを有する。標示円板１は、筒部３ａが挿入される第１挿入穴ｐｈを略中心に設けている。【選択図】図１
2011180419.tif 000002
【特許請求の範囲】
【請求項１】
電柱の基端部を埋設するために地中に掘削される掘削穴の直径と略同じ直径を外周に有する標示円板と、
前記電柱の中心軸を標示する主ポールを立設可能な円筒台と、を備え、
前記標示円板は、前記電柱の複数の地際穴の外周を当該標示円板の一方の面に複数の同心円で描く同心円標示と、これらの同心円の線上に設ける複数の対向する一対の第１貫通穴であって、複数の前記地際穴の外周を標示する副ポールを立設可能な複数の対向する一対の第１貫通穴と、を有し、
前記円筒台は、前記主ポールが挿入されて支持する筒部と、当該主ポールが傾倒しないように前記筒部の基端部に設けられたフランジと、を有し、
前記標示円板は、前記筒部が挿入されて、前記フランジが当該標示円板の他方の面に当接する第１挿入穴を略中心に設ける電柱設置用標示板。
【請求項２】
電柱の基端部を埋設するために地中に掘削される掘削穴の直径と略同じ直径を外周に有する標示円板と、
前記電柱の中心軸を標示する主ポールを立設可能な円筒台と、を備え、
前記標示円板は、前記電柱の複数の地際穴の外周を当該標示円板の一方の面に円周上の一点を共有する複数の偏心円で描く偏心円標示と、これらの偏心円の線上に設ける複数の対向する一対の第２貫通穴であって、複数の前記地際穴の外周を標示する副ポールを立設可能な複数の対向する一対の第２貫通穴と、を有し、
前記円筒台は、前記主ポールが挿入されて支持する筒部と、当該主ポールが傾倒しないように前記筒部の基端部に設けられたフランジと、を有し、
前記標示円板は、前記筒部が挿入されて、前記フランジが当該標示円板の他方の面に当接する第２挿入穴であって、最小直径の前記偏心円の中心から最大直径の前記偏心円の中心までを前記主ポールが移動できるように、長穴状の第２挿入穴を設ける電柱設置用標示板。
【請求項３】
前記標示円板の外周を蛍光する有彩色で彩色している請求項１又は２記載の電柱設置用標示板。
【請求項４】
前記筒部は、先端部から基端部に向けて貫通している請求項１又から３のいずれかに記載の電柱設置用標示板。
【請求項５】
前記筒部が前記複数の偏心円の各中心に略位置するように、当該筒部の外周が前記第２挿入穴に接する２点から相反する向きに延びる複数の目盛りを前記標示円板の一方の面に描いている請求項２記載の電柱設置用標示板。
【発明の詳細な説明】
【技術分野】
【０００１】
本発明は、電柱設置用標示板に関する。特に、基端部が地中に埋設される電柱の外周が地面と接する地際穴などの位置や占有面積を標示する電柱設置用標示板の構造に関する。
【背景技術】
【０００２】
電力会社などは、電柱を設置するときには、その地権者に対して、地際穴などの位置や占有面積を事前に説明している。そして、地権者との協議が成立した後に、電柱を設置している。
【０００３】
ところで、電力会社の担当者は、電柱の設置に必要な土地の面積（つまり、地際面積）を専ら口頭で地権者に説明している。しかし、口頭説明では、釈然とした理解を地権者から得難いと、いう不具合があった。
【０００４】
そこで、電力会社と地権者の双方が十分に意志疎通できるように、電柱の地際面積を実測通りに視認できて、正しい共通認識のもとで協議できる電柱地際標示板が開示されている（例えば、特許文献１参照）。
【０００５】
特許文献１による電柱地際標示板は、円板により形成される標示板本体の表面に各種サイズの電柱の地際面積に合致した円図形を描くと共に、それぞれ円図形に電柱の規格の標示記号を設け、標示板本体を中心線で二分割して二枚の半円板体を形成すると共に、互いの分割端を蝶着して折り畳み自在に構成している。
【０００６】
特許文献１によれば、電柱地際標示板を机上又は地上に置いて円板状に広げ、建柱される電柱の標示記号を読み取り、該当する円図形により地際面積を視認すれば、一目瞭然に双方が共通一致して実側通りに認識することができる、としている。
【０００７】
又、特許文献１によれば、電柱地際標示板が透明な材料で形成されている場合には、電柱を建柱する場所の地面に直接、電柱地際標示板を置いて、地際面積を視認できるため、地権者が納得できる、としている。
【先行技術文献】
【特許文献】
【０００８】
【特許文献１】特開平７−２４３２０７号公報
【発明の概要】
【発明が解決しようとする課題】
【０００９】
しかし、コンクリート製の電柱（コンクリート柱）は、一般に、基端部（埋設部）が先端部に向けて、漸次縮径している。したがって、コンクリート柱の基端部を地中に埋設するための掘削穴の面積は、地際に表れる面積よりも大きくなっている。
【００１０】
特許文献１による電柱地際標示板は、地際面積やその位置を確認することは、容易であるが、掘削穴の面積とその位置を標示していないので、コンクリート柱を設置中又は設置後に、「必要以上の面積を占有している」といった苦情が地権者から寄せられることが懸念される。
【００１１】
したがって、電柱のサイズを掘削穴及び地際穴の位置や占有面積と共に標示する電柱設置用標示板を開発して用意しておくことが望ましく、このような電柱設置用標示板を用いて、工事前に地権者に説明すれば、納得を得られ易くなる。
【００１２】
更に、電柱設置用標示板に掘削穴の位置や占有面積を立体的に標示することによって、狭隘な場所や障害物が隣接する場所で、電柱を設置することが可能であるかを容易に判断できる。又、地方公共団体に申請する道路占用許可申請・協議書などには、多くの場合、掘削穴の大きさを表示した写真を添付する必要があるという実情もある。
【００１３】
又、電柱の設置場所から遠く離れて、地権者が在住していることもある。この場合、電柱の設置場所を撮像して、その写真を地権者に持参又は郵送して、協議を開始している。そして、現在では、デジタルカメラが普及しているので、電柱の設置場所を撮像した写真に電柱の立姿図を合成している。
【００１４】
しかし、特許文献１による電柱地際標示板は、電柱の中心と外周（地際）を平面上に標示しているだけなので、電柱の設置場所（すなわち、電柱設置用標示板の載置場所）を撮像した写真に電柱の立姿図を合成することが困難であるという問題がある。
【００１５】
電柱設置用標示板の載置場所を撮像した写真に電柱の立姿図を合成し易いように、電柱設置用標示板に立体的なターゲットを設けることが望まれる。このような電柱設置用標示板を発明して、より現実的な写真を遠隔地の地権者に提示すれば、協議を円滑に進めることもできると考えられる。そして、以上のことが本発明の課題といってよい。
【００１６】
本発明は、このような課題に鑑みてなされたものであり、電柱のサイズに対応した掘削穴及び地際穴の位置や占有面積を標示すると共に、電柱の立姿を想起することが容易な視認性に優れた電柱設置用標示板を提供することを目的とする。
【課題を解決するための手段】
【００１７】
本発明者は、上記目的を達成するため、外周が掘削穴の直径を標示すると共に、平面上には、電柱のサイズに対応した複数の地際円を標示する電柱設置用標示板を創り、電柱の中心と外周に対応するターゲットを設置可能な設置手段をこの電柱設置用標示板に設けることにより、これらの課題が解決可能なことを見出し、これに基づいて、以下のような新たな電柱設置用標示板を発明するに至った。
【００１８】
（１）本発明による電柱設置用標示板は、電柱の基端部を埋設するために地中に掘削される掘削穴の直径と略同じ直径を外周に有する標示円板と、前記電柱の中心軸を標示する主ポールを立設可能な円筒台と、を備え、前記標示円板は、前記電柱の複数の地際穴の外周を当該標示円板の一方の面に複数の同心円で描く同心円標示と、これらの同心円の線上に設ける複数の対向する一対の第１貫通穴であって、複数の前記地際穴の外周を標示する副ポールを立設可能な複数の対向する一対の第１貫通穴と、を有し、前記円筒台は、前記主ポールが挿入されて支持する筒部と、当該主ポールが傾倒しないように前記筒部の基端部に設けられたフランジと、を有し、前記標示円板は、前記筒部が挿入されて、前記フランジが当該標示円板の他方の面に当接する第１挿入穴を略中心に設ける。
【００１９】
（２）本発明による電柱設置用標示板は、電柱の基端部を埋設するために地中に掘削される掘削穴の直径と略同じ直径を外周に有する標示円板と、前記電柱の中心軸を標示する主ポールを立設可能な円筒台と、を備え、前記標示円板は、前記電柱の複数の地際穴の外周を当該標示円板の一方の面に円周上の一点を共有する複数の偏心円で描く偏心円標示と、これらの偏心円の線上に設ける複数の対向する一対の第２貫通穴であって、複数の前記地際穴の外周を標示する副ポールを立設可能な複数の対向する一対の第２貫通穴と、を有し、前記円筒台は、前記主ポールが挿入されて支持する筒部と、当該主ポールが傾倒しないように前記筒部の基端部に設けられたフランジと、を有し、前記標示円板は、前記筒部が挿入されて、前記フランジが当該標示円板の他方の面に当接する第２挿入穴であって、最小直径の前記偏心円の中心から最大直径の前記偏心円の中心までを前記主ポールが移動できるように、長穴状の第２挿入穴を設ける。
【００２０】
（３）前記標示円板の外周を蛍光する有彩色で彩色していることが好ましい。
【００２１】
（４）前記筒部は、先端部から基端部に向けて貫通していることが好ましい。
【００２２】
（５）前記筒部が前記複数の偏心円の各中心に略位置するように、当該筒部の外周が前記第２挿入穴に接する２点から相反する向きに延びる複数の目盛りを前記標示円板の一方の面に描いていることが好ましい。
【発明の効果】
【００２３】
本発明による電柱設置用標示板は、外周が掘削穴の直径を標示すると共に、平面上には、電柱のサイズに対応した複数の地際円を標示する標示円板を備え、電柱の中心と外周に対応するポールをこの地際円上に設置できるように構成しているので、電柱の立姿を想起することが容易である。
【図面の簡単な説明】
【００２４】
【図１】本発明の第１実施形態による電柱設置用標示板の構成を示す斜視分解組立図である。
【図２】第１実施形態による電柱設置用標示板の縦断面図である。
【図３】本発明の第２実施形態による電柱設置用標示板の構成を示す斜視分解組立図である。
【図４】第２実施形態による電柱設置用標示板の縦断面図である。
【発明を実施するための形態】
【００２５】
以下、図面を参照して本発明を実施するための形態を説明する。
【００２６】
［第１実施形態］
最初に、本発明の第１実施形態による電柱設置用標示板の構成を説明する。図１は、本発明の第１実施形態による電柱設置用標示板の構成を示す斜視分解組立図である。図２は、第１実施形態による電柱設置用標示板の縦断面図である。
【００２７】
図１又は図２を参照すると、第１実施形態による電柱設置用標示板（以下、標示板と略称する）１０は、標示円板１と円筒台３を備えている。標示円板１は、掘削穴の直径と略同じ直径を外周ＣＦに有している。この掘削穴を地中に掘削して、電柱（図示せず）の基端部を埋設できる。円筒台３は、電柱の中心軸を標示する主ポールＰ１を立設できる。主ポールＰ１は、直径が５ｍｍ程度の合成樹脂製のパイプを用いることが好ましい。
【００２８】
図１を参照すると、標示円板１は、複数の同心円Ｃ１・Ｃ２・Ｃ３が描かれた同心円標示Ｃを一方の面（オモテ面）ＡＳに有している。これらの同心円Ｃ１・Ｃ２・Ｃ３は、異なるサイズの電柱の各地際穴の外周に対応している。各同心円Ｃ１・Ｃ２・Ｃ３は、異なるサイズの電柱に対応して、標示色を変えて標示することが好ましい。
【００２９】
図１を参照すると、同心円Ｃ１の線上には、対向する一対の第１貫通穴ｈ１・ｈ１を設けている。又、同心円Ｃ２の線上には、対向する一対の第１貫通穴ｈ２・ｈ２を設けている。更に、同心円Ｃ３の線上には、対向する一対の第１貫通穴ｈ３・ｈ３を設けている。
【００３０】
図１又は図２を参照すると、これらの一対の第１貫通穴ｈ１・ｈ１、ｈ２・ｈ２、ｈ３・ｈ３のいずれかには、一組の副ポールＰ２・Ｐ２を対向するように立設できる。そして、立設した一組の副ポールＰ２・Ｐ２が異なるサイズの電柱の各地際穴の外周を標示している。
【００３１】
副ポールＰ２の外径は、主ポールＰ１の外径より十分に小さいことが好ましく、合成樹脂製のパイプであってもよく、細径の木材又は竹であってもよい。
【００３２】
図１又は図２を参照すると、円筒台３は、筒部３ａとフランジ３ｂを有している。筒部３ａは、主ポールＰ１が挿入されて支持している。フランジ３ｂは、主ポールＰ１が傾倒しないように、筒部３ａの基端部に設けられている。
【００３３】
図１又は図２を参照すると、標示円板１は、筒部３ａが挿入される第１挿入穴ｐｈを略中心に設けている。そして、標示円板１に筒部３ａが挿入された状態では、フランジ３ｂが標示円板１の他方の面（ウラ面）ＢＳに当接している。
【００３４】
図１を参照すると、標示円板１の外周ＣＦは、蛍光する有彩色で彩色している。又、筒部３ａの外周に描かれた下向きの矢印標示３０も蛍光する有彩色で彩色している。そして、筒部３ａは、先端部から基端部に向けて貫通している。
【００３５】
次に、第１実施形態による標示板１０の作用及び効果を説明する。
【００３６】
図１又は図２を参照すると、標示円板１の直径は、約５００ｍｍであり、アースオーガと呼ばれる掘削機で穿設される規格された建柱穴（掘削穴）の直径に相当している。第１実施形態による標示板１０は、電柱の設置場所に標示円板１を載置して、掘削穴の面積とその位置を標示できる。したがって、電柱を設置するために、実際に必要な占有面積を地権者に誤解なく確認してもらうことができる。
【００３７】
標示円板１を載置する場所は、平坦であるとは限らない。標示円板１は、凹凸のある地面に多くは載置される。したがって、標示円板１は、緩衝性のあるゴム体からなることが好ましく、かつ、主ポールＰ１及び副ポールＰ２を傾倒させないように、所定の重量を有することが好ましい。更に、標示円板１は、現場での比較的激しい取扱いに耐えられるように、ゴムの硬度を高めた強化ゴムからなることがより好ましい。
【００３８】
第１実施形態による標示板１０は、標示円板１に主ポールＰ１を立設すると共に、所定の地際穴の線上に一組の副ポールＰ２・Ｐ２を立設することにより、その場所に設置される電柱の立姿を想起することが容易である。したがって、狭隘な場所や障害物が隣接する場所で、電柱を設置することが可能であるかを容易に判断できる。
【００３９】
又、第１実施形態による標示板１０は、標示円板１の外周ＣＦが掘削穴を標示しているので、標示円板１を撮像して、その写真を地方公共団体に申請する道路占用許可申請・協議書などに添付することができる。
【００４０】
第１実施形態による標示板１０は、電柱の中心を標示する主ポールＰ１と電柱の外周（地際）を標示する一組の副ポールＰ２・Ｐ２を標示円板１に立設可能に構成しているので、主ポールＰ１及び一組の副ポールＰ２・Ｐ２を立体的なターゲットとして、標示板１０の載置場所を撮像した写真に電柱の立姿図を合成することが容易である。
【００４１】
第１実施形態による標示板１０は、標示円板１の外周ＣＦ、及び筒部３ａの外周に描かれた下向きの矢印標示３０を蛍光する有彩色で彩色しているので、標示板１０の載置場所を撮像した写真に電柱の立姿図を合成することに寄与できる。又、薄暗い環境においても、標示円板１の輪郭及び主ポールＰ１の位置を容易に視認できる。
【００４２】
又、第１実施形態による標示板１０は、円筒台３の筒部３ａが先端部から基端部に向けて貫通しているので、筒部３ａに杭を打ち込んで、地面に建柱（電柱の設置位置）の痕跡を標示できる。又、筒部３ａの先端部からカラーペイントを噴霧して、地面に建柱の目印を標示できる。第１実施形態による標示板１０は、筒部３ａの内部にカラーペイントを噴霧するので、標示円板１をカラーペイントで汚さないというメリットがある。
【００４３】
［第２実施形態］
次に、本発明の第２実施形態による電柱設置用標示板の構成を説明する。なお、図１及び図２で用いた符号と同じ符号の構成品は、それらの作用を同じとするので、以下の説明で割愛する場合がある。
【００４４】
図３は、本発明の第２実施形態による電柱設置用標示板の構成を示す斜視分解組立図である。図４は、第２実施形態による電柱設置用標示板の縦断面図である。
【００４５】
図３又は図４を参照すると、第２実施形態による標示板２０は、標示円板２と円筒台３を備えている。標示円板２は、掘削穴の直径と略同じ直径を外周ＣＦに有している。この掘削穴を地中に掘削して、電柱（図示せず）の基端部を埋設できる。円筒台３は、電柱の中心軸を標示する主ポールＰ１を立設できる。主ポールＰ１は、直径が５ｍｍ程度の合成樹脂パイプを用いることが好ましい。
【００４６】
図３を参照すると、標示円板２は、円周上の一点を共有する複数の偏心円Ｄ１・Ｄ２・Ｄ３が描かれた偏心円標示Ｄを一方の面（オモテ面）ＡＳに有している。これらの偏心円Ｄ１・Ｄ２・Ｄ３は、異なるサイズの電柱の各地際穴の外周に対応している。各偏心円Ｄ１・Ｄ２・Ｄ３は、異なるサイズの電柱に対応して、標示色を変えて標示することが好ましい。
【００４７】
図３を参照すると、偏心円Ｄ１の線上には、対向する一対の第２貫通穴ｊ１・ｊ１を設けている。又、偏心円Ｄ２の線上には、対向する一対の第２貫通穴ｊ１・ｊ２を設けている。更に、偏心円Ｄ３の線上には、対向する一対の第１貫通穴ｊ１・ｊ３を設けている。
【００４８】
図３又は図４を参照すると、これらの一対の第１貫通穴ｊ１・ｊ１、ｊ１・ｊ２、ｊ１・ｊ３のいずれかには、一組の副ポールＰ２・Ｐ２を対向するように立設できる。そして、立設した一組の副ポールＰ２・Ｐ２が異なるサイズの電柱の各地際穴の外周を標示している。
【００４９】
図３又は図４を参照すると、標示円板２は、筒部３ａが挿入される長穴状の第２挿入穴ｑｈを略中心に設けている。そして、標示円板２に筒部３ａが挿入された状態では、フランジ３ｂが標示円板２の他方の面（ウラ面）ＢＳに当接している。
【００５０】
図３又は図４を参照すると、第２挿入穴ｑｈは、筒部３ａが移動できるように、その幅が筒部３ａの直径より僅かに大きく形成されている。又、第２挿入穴ｑｈは、最小直径の偏心円Ｄ３の中心から最大直径の偏心円Ｄ１の中心までを主ポールＰ１が移動できるように、その長手方向に所定の長さを有している。
【００５１】
図３を参照すると、標示円板２は、複数の目盛りｋ１・ｋ２・ｋ３を（オモテ面）ＡＳに描いている。これらの目盛りｋ１・ｋ２・ｋ３は、筒部３ａの外周が第２挿入穴ｑｈに接する２点から相反する向きに延びるように描かれている。
【００５２】
図３を参照すると、筒部３ａの中心が一対の目盛りｋ１・ｋ１を結ぶ仮想線上に位置しているときは、偏心円Ｄ１の略中心に主ポールＰ１を立設できる。筒部３ａの中心が一対の目盛りｋ２・ｋ２を結ぶ仮想線上に位置しているときは、偏心円Ｄ２の略中心に主ポールＰ１を立設できる。筒部３ａの中心が一対の目盛りｋ３・ｋ３を結ぶ仮想線上に位置しているときは、偏心円Ｄ３の略中心に主ポールＰ１を立設できる。つまり、複数の目盛りｋ１・ｋ２・ｋ３に対応して、筒部３ａを複数の偏心円Ｄ１・Ｄ２・Ｄ３の各中心に略位置するように移動できる。
【００５３】
更に、図３を参照すると、標示円板２の外周ＣＦは、蛍光する有彩色で彩色している。又、筒部３ａの外周に描かれた下向きの矢印標示３０も蛍光する有彩色で彩色している。そして、筒部３ａは、先端部から基端部に向けて貫通している。
【００５４】
第２実施形態による標示板２０によれば、第１実施形態による標示板１０と同様の作用及び効果を有する他に、以下のとおりの作用及び効果を有している。
【００５５】
第２実施形態による標示板２０は、掘削穴の面積とその中心位置から偏心した位置に設置される電柱の地際穴の中心とその外周を標示できる。したがって、掘削穴の中心位置から偏心した位置に電柱を設置するために、掘削穴に必要な占有面積と地際穴の偏心位置及び占有面積を地権者に誤解なく確認してもらうことができる。
【００５６】
第２実施形態による標示板２０は、標示円板２に描かれた複数の偏心円Ｄ１〜Ｄ３の主ポールＰ１を立設すると共に、掘削穴の中心位置から偏心した所定の地際穴の線上に一組の副ポールＰ２・Ｐ２を立設することにより、その場所に設置される電柱の立姿を想起することが容易である。したがって、狭隘な場所や障害物が隣接する場所で、電柱を設置することが可能であるかを容易に判断できる。
【００５７】
又、図３を参照すると、第２実施形態による標示板２０は、筒部３ａが複数の偏心円Ｄ１〜Ｄ３の各中心に略位置するように、筒部３ａの外周が第２挿入穴ｇｈに接する２点から相反する向きに延びる複数の目盛りｋ１〜ｋ３を標示円板２の一方の面ＡＳに描いている。したがって、円筒台３を第２挿入穴ｇｈに沿って移動するときに、複数の偏心円Ｄ１〜Ｄ３の各中心に位置することが容易である。
【００５８】
一般に、電力会社の担当者は、電柱設置用標示板を運搬して、電柱を設置する現地に赴いている。電力会社の担当者は、第１実施形態による標示板１０又は第２実施形態による標示板２０のいずれか一方を用意しておけばよく、双方を用意しておいてもよい。
【００５９】
本発明の実施形態による電柱設置用標示板は、現地での組立が容易であり、担当者が一人で組み立てることができる。本発明の実施形態による電柱設置用標示板は、標示円板に主ポールを立設すると共に、所定の地際穴の線上に一組の副ポールを立設することにより、その場所に設置される電柱の立姿を想起することが容易であり、視認性に優れている。
【００６０】
本発明の実施形態による電柱設置用標示板を用いて、工事前に地権者に説明すれば、納得を得られ易くなる。したがって、地権者との協議が促進されることが期待できる。
【００６１】
本発明による電柱設置用標示板は、実施形態に限定されない。本発明の技術的思想を応用した電柱設置用標示板は、全て本発明の電柱設置用標示板に含まれる。例えば、本発明による電柱設置用標示板における副ポールの取り付け位置及び本数は、図示された取り付け位置及び本数に限定されない。副ポールの取り付け位置及び本数は、適宜、変更可能である。
【符号の説明】
【００６２】
１  標示円板
３  円筒台
３ａ  筒部
３ｂ  フランジ
１０  標示板（電柱設置用標示板）
Ｃ  同心円標示
Ｃ１・Ｃ２・Ｃ３  同心円
Ｐ１  主ポール
Ｐ２  副ポール
ｈ１・ｈ２・ｈ３  第１貫通穴
ｐｈ  第１挿入穴
【図１】
2011180419.tif 000003
【図２】
2011180419.tif 000004
【図３】
2011180419.tif 000005
【図４】
2011180419.tif 000006